(57)【要約】      （修正有）【課題】レール体が前後方向、横方向のいずれの方向に取り付けられる場合も、兼用可能とするテレビ取付け具を提供する。【解決手段】下面側にガイドレール１４を備え、上面側を被取付け面への取付け面１１とするレール体３と、ガイドレールに沿って移動する移動片１０を上部に備える柱体５と、柱体から前方に突出するように取り付けられるアーム体７と、アーム体の前端に取り付けられるテレビ装着体９とから構成されるテレビ取付け具において、移動片１０の平面形状が略正方形で、直交する２方向においてガイドレール１４に取り付け可能とするもの。【選択図】図２
0003219556.tif 000002
【実用新案登録請求の範囲】
【請求項１】
下面側にガイドレールを備え、上面側を被取付け面への取付け面とするレール体と、
前記ガイドレールに沿って移動する移動片を上部に備える柱体と、
前記柱体から前方に突出するように取り付けられるアーム体と、
前記アーム体の前端に取り付けられるテレビ装着体とから構成されるテレビ取付け具において、
前記移動片の平面形状が略正方形で、直交する２方向において前記ガイドレールに取り付け可能とすることを特徴とするテレビ取付け具。
【請求項２】
床頭台用である請求項１記載のテレビ取付け具。
【考案の詳細な説明】
【技術分野】
【０００１】  この考案は、病室の床頭台等おいて使用するテレビ取付け具に関する。
【背景技術】
【０００２】  病室のベッドの枕元には床頭台が設けられ、その床頭台にはテレビが設置されている。例えば、図６に示すように、テレビ１００は床頭台１０１の上板（図示を省略している）の下面に前後方向に取り付けられたレール体１０２により移動するアーム体１０３の前面に取り付けられ、これにより、テレビ１００が床頭台１０１の上板の下部から前方に引き出された近い位置で見られる構成とされている。しかしながら、図６に示すように、床頭台１０１はベッド１０５に隣接して設置される場合が多く、テレビ１００がベッド１０５上の患者１０８にあまり近く位置しないこととなる。したがって、図７に示すように、レール体１０２を横方向に取り付けることで、テレビ１００がベッド１０５上の患者１０８に近く位置するようにすることが考えられる。
【考案の概念】
【考案が解決しようとする課題】
【０００３】  この考案は上記の事情に鑑みて行ったもので、レール体が前後方向、横方向のいずれの方向に取り付けられる場合も、兼用可能とするテレビ取付け具を提供することを目的とする。
【課題を解決するための手段】
【０００４】  この考案では、下面側にガイドレールを備え、上面側を被取付け面への取付け面とするレール体と、前記ガイドレールに沿って移動する移動片を上部に備える柱体と、前記柱体から前方に突出するように取り付けられるアーム体と、前記アーム体の前端に取り付けられるテレビ装着体とから構成されるテレビ取付け具において、前記移動片の平面形状が略正方形で、直交する２方向において前記ガイドレールに取り付け可能とすることを特徴とするテレビ取付け具を提供する。
【０００５】  上記構成のテレビ取付け具は、移動片の平面形状が略正方形でその巾が直交する方向において同じであることで、移動片をガイドレールに直交する２方向に取り付けることができるので、柱体に取り付けられるアーム体をレール体に、テレビ装着体の面体が直交する２方向においてスライド移動可能に取り付けられる。これにより同一のテレビ取付け具において、レール体を異なる方向に取り付け使用することができ、病室の床頭台においては、患者により近い位置にテレビを配置できるようになる。
【０００６】  この考案のテレビ取付け具は、テレビを設置する際に適宜使用可能で、病室の床頭台等において好適に用いられる。
【考案の効果】
【０００７】  この考案によれば、レール体が前後方向、横方向のいずれの方向に取り付けられる場合も、兼用可能とするテレビ取付け具が提供される。
【図面の簡単な説明】
【０００８】
【図１】  この考案のテレビ取付け具の実施例の斜視図
【図２】  この考案のテレビ取付け具の実施例の分解斜視図
【図３】  この考案のテレビ取付け具の実施例のレール体を取り外した斜視図
【図４】  この考案のテレビ取付け具の実施例のレール体を取り外した図３と異なる状体の斜視図
【図５】  この考案のテレビ取付け具の図１と異なる状態の実施例の斜視図
【図６】  この考案のテレビ取付け具の使用説明図
【図７】  この考案のテレビ取付け具の使用説明図
【考案を実施するための形態】
【０００９】  図１はこの考案のテレビ取付け具の実施例の斜視図、図２は同分解斜視図、図３は同レール体を取り外した斜視図である。テレビ取付け具１は金属製で、レール体３と柱体５とアーム体７とテレビ装着体９とから構成される。
【００１０】  レール体３は上面を床頭台の上板下面等の被取付け面への取付け面１１とし、下面側に長手方向に沿って２本の凹条よりなるガイドレール１４が設けられ、両端部にはキャップ１２が装着されている。
【００１１】  柱体５は前面をアーム体７の取付け面８とし、上部に略正方形のプレート形態の移動片１０が水平に取り付けられている。移動片１０の一対の相対する縁には、樹脂製の滑り具１３が装着されている。
【００１２】  アーム体７は一対のアーム片１５の基部がベース片１７にピンにより回動可能に取り付けられるとともに、前端部が連結片１８にピンによりそれぞれ回動可能に取り付けられて構成され、ベース片１７が取付け面８の適宜高さに取り付けられて柱体５から前方に突出して設けられている。
【００１３】  テレビ装着体９はテレビが前面に取り付けられる面板１９と、面板１９の後面に取り付けられる連結部２１からなる。連結部２１が連結片１８にロッドにより回動可能に取り付けられ、テレビ装着体９はアーム体１５の前端に取り付けられている。
【００１４】  上記移動片１０の一方の相対する縁に滑り具１３が装着され、その滑り具１３部分がレール体３のガイドレール１４に嵌入されて組み立てられることで、図１に示すように、アーム体７はテレビ装着体９の面板１９方向と直交する方向に移動される。これに対し、図４に示すように、移動片１０の他方の相対する縁に滑り具１３が装着され、その滑り具１３部分がレール体３のガイドレール１４に嵌入されて組み立てられることで、図５に示すように、アーム体７はテレビ装着体９の面板１９方向と平行する方向に移動される。移動片１０はその平面形状が正方形でその巾が直交する方向において同じであることで、ガイドレール１４に異なる方向において取り付けられることで可能となる。
【００１５】  このようにして、柱体５の移動片１０の相対する一方、他方の縁部を選択してレール体３に取り付けることで、レール体３にアーム体７を、面体１９が直交する２方向においてスライド移動可能に取り付けられる。これにより同一のテレビ取付け具において、図６、図７に示すように、レール体１０２を異なる方向として取り付け使用することができ、図７に示すように患者１０８により近い位置にテレビ１００を配置できるようになる。
【符号の説明】
【００１６】１    テレビ取付け具
３    レール体
５    柱体
７    アーム体
９    テレビ装着体
１０  移動片
１１  取付け面
１３  ガイドレール
【図１】
0003219556.tif 000003
【図２】
0003219556.tif 000004
【図３】
0003219556.tif 000005
【図４】
0003219556.tif 000006
【図５】
0003219556.tif 000007
【図６】
0003219556.tif 000008
【図７】
0003219556.tif 000009